Podtech/llm-jp-corpus-v4-ja_patent huggingface dataset:
(57)【要約】      （修正有）【課題】五徳に載せる物を安定させるガイドマーク５ａを設けたガスコンロ本体を提供する。【解決手段】ガスコンロ本体１の上板２にガイドマーク５ａを設け、ガイドマーク５ａを、五徳３ａと同心円状の円周上の位置に円形状あるいは弧形状に１以上設けたことを特徴とする。これにより、載せる物の中心を五徳３ａの中心に容易に合わせることができ、熱効率が良くなる。【選択図】図４
0003150088.tif 000002
【実用新案登録請求の範囲】
【請求項１】
（イ）ガスコンロ本体１の上板２にガイドマーク５ａを設ける。
（ロ）ガイドマーク５ａを、五徳３ａと同心円状の円周上の位置に円形状あるいは弧形状に１以上設ける。
上記のごとく構成された、五徳３ａに載せる鍋１０などを安定させるためのガイドマーク５ａを設けたガスコンロ本体１。
【考案の詳細な説明】
【技術分野】
【０００１】  この考案は、五徳に載せる鍋などを安定させるためのガイドマークを設けたガスコンロ本体に関するものである。
【背景技術】
【０００２】  従来のガスコンロ本体１の上板２は、五徳３ａが設けられているだけであった。
このため、五徳３ａより小さな物を載せた場合は、五徳３ａが見えるため、載せた物の中心を五徳３ａの中心に、容易に合わせることができる。
一方、五徳３ａより大きな物（例として鍋１０）を載せた場合は、大きな物によって、五徳３ａが見えなくなってしまう。
【考案の開示】
【考案が解決しようとする課題】
【０００３】  図１，２に示すように、従来のガスコンロ本体１は、次のような欠点がある。
１：五徳３ａより大きな物（例として鍋１０）を載せた場合は、大きな物によって、五徳３ａが見えなくなってしまい、載せる物の中心を五徳３ａの中心に容易に合わせることができないので、載せる物が不安定になることがある。
２：この結果、載せる物に外部から力が与えられると載せる物が傾いたりして火傷などをしてしまうおそれがある。
３：載せる物の中心が五徳３ａの中心がずれると熱効率が悪くなる。
本考案は、これらの欠点を解決するためになされたものである。
【課題を解決するための手段】
【０００４】  図３，４で示すように、
（イ）ガスコンロ本体１の上板２にガイドマーク５ａを設ける。
（ロ）ガイドマーク５ａを、五徳３ａと同心円状の円周上の位置に円形状あるいは弧形状に１以上設ける。
本考案は、以上のごとく構成された、五徳３ａに載せる鍋１０などを安定させるためのガイドマーク５ａを設けたガスコンロ本体１である。
【考案の効果】
【０００５】  本考案により次の効果を生む。
１：五徳３ａより大きな物を載せた場合は、大きな物によって、五徳３ａが見えなくなってしまい、載せる物の中心を五徳３ａの中心に容易に合わせることができないので、載せる物が不安定になることがある。
２：この結果、載せる物に外部から力が与えられると載せる物が傾いたりして火傷などをしてしまうおそれがある。
３：載せる物の中心が五徳３ａの中心がずれると熱効率が悪くなる。
【考案を実施するための最良の形態】
【０００６】  以下、本考案を実施するための最良の形態を説明する。
図３，４で示すように、本考案は次の構成よりなっている。
（イ）ガスコンロ本体１の上板２にガイドマーク５ａを設ける。
（ロ）ガイドマーク５ａを、五徳３ａと同心円状の円周上の位置に円形状あるいは弧形状に１以上設ける。
それを次に詳しく説明する。【０００７】（イ）の「ガスコンロ本体１の上板２にガイドマーク５ａを設ける。」を説明する。
五徳３ａがガスコンロ本体１の上板２に設けられているから、ガイドマーク５ａもガスコンロ本体１の上板２に設ける必要がある。【０００８】（ロ）の「ガイドマーク５ａを、五徳３ａと同心円状の円周上の位置に円形状あるいは弧形状に１以上設ける。」を説明する。
ガイドマーク５ａの設け方は色々ある。上板２に印刷する方法、プレス加工で凹凸にする方法、ガイドマーク５ａを別に作って上板２に貼付する方法、ガイドマーク５ａの全部あるいは一部に磁気をおびさせ上板２に貼り付ける方法などがある。
【他の実施例】
【００１０】  図６で示すように、弧形状のガイドマーク５ｃを円形状に配置して設けても良い。これは、ガスコンロ本体１の美観を考えてのことである。円形状よりも弧形状を円形状に組み合わせの方を好まれる方もおられることと思うからである。
【００１１】  図７で示すように、小さな点形状のガイドマーク５ｄを円形状に配置して設けても良い。これは、ガスコンロ本体１の美観を考えてのことである。円形状よりも小さな点形状を円形状に組み合わせの方を好まれる方もおられることと思うからである。
【００１２】  五徳３ａと同心円状の円周上の位置に円形状あるいは弧形状に１以上設けるガイドマーク５は、円形状、弧形状、小さな点形状のそれぞれの組み合わせでも良い。
【００１３】  ガイドマーク５は正方形状にしてもよい。この場合、五徳３ａの中心と正方形状の中心は一致させる。
【使用例】
【００２０】  本考案は、次のように使用する。（図８参照）
五徳３ａと同心円状の円周上の位置にある円形状のガイドマーク５ａは、五徳３ａよりやや大きな物（例として鍋１０）を載せた場合に使用する。円形状のガイドマーク５ａを頼りに、載せる物の中心を五徳３ａの中心に容易に合わせることができる。合わせ方は、載せる物の鍋底縁１２が弧形状に見えるから、その弧形状とガイドマーク５ａの間隔１３が同じになるようにする。
【００２１】  図示しないが、五徳３ａと同心円状の円周上の位置にある弧形状のガイドマーク５ｂは、五徳３ａより大きな物を載せた場合に使用する。載せる物の底縁が弧形状に見えるから、その弧形状とガイドマーク５ｂの間隔が同じになるようにする。
【図面の簡単な説明】
【００３０】
【図１】は、従来のガスコンロの使用を示す側面図である。
【図２】は、鍋を半透明にした従来のガスコンロの使用を示す平面図である。
【図３】は、本考案を使用したガスコンロの平面図である。
【図４】は、本考案を使用したガスコンロの平面図である。
【図５】は、鍋を半透明にした本考案を使用したガスコンロの平面図である。
【図６】は、本考案の他の実施例を示すガスコンロの平面図である。
【図７】は、本考案の他の実施例を示すガスコンロの平面図である。
【図８】は、鍋を半透明にした本考案の使用例を示す斜視図である。
【符号の説明】
【００３０】１  ガスコンロ本体        ２  上板          ３ａ，３ｂ  五徳
４ａ，４ｂ  つまみ        ５ａ，５ｂ，５ｃ，５ｄ  ガイドマーク
１０  鍋                  １１ａ，１１ｂ  取っ手
１２  鍋底縁              １３  間隔
【図１】
0003150088.tif 000003
【図２】
0003150088.tif 000004
【図３】
0003150088.tif 000005
【図４】
0003150088.tif 000006
【図５】
0003150088.tif 000007
【図６】
0003150088.tif 000008
【図７】
0003150088.tif 000009
【図８】
0003150088.tif 000010
(57)【要約】      （修正有）【課題】滑り落ちることがなく、子供用等として好適に用いられる髪止め具を提供する。【解決手段】髪止め具１は髪止め具本体２に飾り４が取り付けられて構成されている。髪止め具本体２は金属プレートが基部５から３本の棒片６が突出する形態に打ち抜かれ、その両側の棒体６の端部どうしが重ね状態に連結されて構成されている。連結された両側の棒体６が一方の髪挟持片８を構成し、残る棒体６が他方の髪挟持片１０を構成する。髪挟持片８はその途中部においてバネ力により反転変位可能で、髪挟持片１０はその途中部が髪挟持片８側に折れ曲がり形成されている。髪の滑り止め体１２（滑り止め構造）は布シートよりなり、髪挟持片８を構成する棒体６それぞれの下面側に貼り付け固定されている。布シートの表面は面ファスナーように多数の鉤状繊維が突起して位置することで滑り止め機能を発揮する。【選択図】図２
0003150090.tif 000002
【実用新案登録請求の範囲】
【請求項１】
その間に髪を挟持する一対の髪挟持片を供える髪止め具において、前記髪挟持片の挟持面が髪に対しての滑り止め構造を持つことを特徴とする髪止め具。
【請求項２】
金属製である請求項１記載の髪止め具。
【請求項３】
前記滑り止め構造が滑り止め体の付設によるものである請求項１または２記載の髪止め具。
【請求項４】
装飾体が着脱可能に取り付けられてなる請求項１、２または３記載の髪止め具。
【考案の詳細な説明】
【技術分野】
【０００１】  この考案は、子供用等として好適に使用される髪止め具に関する。
【背景技術】
【０００２】  髪止め具として種々の形態のものが提供されており、子供用のものとしては金属製で小形のものが広く用いられている。
【考案の開示】
【考案が解決しようとする課題】
【０００３】  しかしながら、そのような子供用の髪止め具は使用時にきわめて紛失しやすいという問題がある。これは子供の場合毛量が少ないとともに毛質がさらさらで滑りやすく、さらに、子供の動きが激しいにも原因があると考えられる。髪止め具としては飾りを一体に備えた高価なものもあり、それを紛失することは金銭的な損害にもなる。【０００４】  この考案は上記の事情に鑑みて行ったもので、子供用等として好適に用いられる髪止め具を提供することを目的とする。
【課題を解決するための手段】
【０００５】  この考案では、その間に髪を挟持する一対の髪挟持片を供える髪止め具において、前記髪挟持片の挟持面が髪に対しての滑り止め構造を持つことを特徴とする髪止め具を提供する。【０００６】  この考案の髪止め具によれば、使用に際して髪挟持片の挟持面が髪に対しての滑り止め構造を持つことで髪からの滑りが抑えられ、これにより髪止め具の髪からの脱落が回避される。髪止め具が滑りやすい金属製のものにおいてその作用効果がより有効に発揮される。【０００７】  滑り止め構造は、髪挟持片の挟持面に凹凸加工を施したり、別途滑り止め体を付設することで得られる。滑り止め体としては滑り止め機能を発揮するものであれば適宜のものが使用可能で、面ファスナーの面構造を持つ布シートや密着機能を持つシリコン樹脂等のプラスチックスシートが好適に用いられる。滑り止め体は一対の髪持挟片の両方に設けてもよく、また、一方に設けてもよい。また、滑り止め体の付設は張り付けや塗布等適宜の方法によればよい。【０００８】  また、上記構成の髪止め具に対し飾りを着脱可能に取り付ける構成とすることで、滑り落ちにくく、かつデサイン性に優れる髪止め具が得られる。
【考案の効果】
【０００９】  この考案によれば、滑り落ちて紛失することが防止される、子供用等として好適に用いられる髪止め具が提供される。
【考案の実施形態】
【００１０】  図１はこの考案の髪止め具の上面側斜視図、図２は同下面側斜視図、図３は同分解斜視図である。髪止め具１は髪止め具本体２に飾り４が取り付けられて構成されている。髪止め具本体２は金属プレートが基部５から３本の棒片６、６、６が突出する形態に打ち抜かれ、その両側の棒体６、６の端部どうしが重ね状態に連結されて構成されている。連結された両側の棒体６、６が一方の髪挟持片８を構成し、残る棒体６が他方の髪挟持片１０を構成する。髪挟持片８はその途中部においてバネ力により反転変位可能で、図１と図２の状態となるように構成され、髪挟持片１０はその途中部が髪挟持片８側に折れ曲がり形成されている。
【００１１】  １２は布シートよりなる髪の滑り止め体（滑り止め構造）であり、髪挟持片８を構成する棒体６、６それぞれの下面側に貼り付け固定されている。布シートの表面は面ファスナーように多数の鉤状繊維が突起して位置することで滑り止め機能を発揮する。
【００１２】  髪止め具本体２への飾り４の取り付けはスナップボタン構造により着脱可能に行われている。すなわち、髪止め具本体２の基部５の上面に雄ボタン片１４が取り付けられ、飾り４の底面に雌ボタン片１６が取り付けられ、雄ボタン片１４の突起１５が雌ボタン片１６の嵌入穴１７に嵌入されて取り付けられる。
【００１３】  図４は髪止め具１の髪への取り付け状態を示す。取り付け状態においては髪止め具１は図１の状態で、互いに近接する髪挟持片８と髪挟持片１０との間に髪Ｈが弾力的に挟持される。その際髪挟持片８に取り付けられた一対の滑り止め体１２表面が髪Ｈに圧接し、かつ、その表面鉤状繊維が髪Ｈに引っかかり状態となるので、髪止め具１に髪Ｈに対して抜け方向に力がかかっても容易に脱落することがない。
【００１４】  また、上記のように飾り４が髪止め具本体２に着脱可能に取り付けられる構成とされることで、髪止め具本体２を兼用して種々異なる飾りを付けることが楽しめる。例えば、外出先等において飾り４のみを代えることもでき、また、髪止め具本体２を髪に付けたままとして手間をかけることなく飾り４を取り代えることもできる。その際、この実施形態のもののようにスナップボタン構造を採用していることで、髪止め具本体２に飾り４が任意の回転位置において取り付けることができ、方向性を持つ飾り４の場合はそれを所望の方向として取り付けることができ便利である。
【図面の簡単な説明】
【００１５】
【図１】  この考案の髪止め具の実施形態の上面側外観斜視図
【図２】  この考案の髪止め具の実施形態の下面側外観斜視図
【図３】  この考案の髪止め具の実施形態の分解斜視図
【図４】  この考案の髪止め具の実施形態の使用時要部拡大断面図
【符号の説明】
【００１６】１    髪止め具
２    髪止め具本体
４    飾り
８    髪挟持片
１０  髪挟持片
１２  滑り止め体（滑り止め構造）
Ｈ    髪
【図１】
0003150090.tif 000003
【図２】
0003150090.tif 000004
【図３】
0003150090.tif 000005
【図４】
0003150090.tif 000006
(57)【要約】      （修正有）【課題】一括生産することで工期の短縮と資源の削減がはかられると共に経済的にも社会に貢献することが出来る屋根葺材を提供する。【解決の手段】下地材１に一定の長さに切断された葺足３ｃｍ〜１０ｃｍ以内に設定された、杉・桧皮材３を一定の角度に接着してなることを特徴とする。外観的には自然の色彩を保つ上、低価格で提供できるので、一石二鳥の経済効果がある。また、純日本建築の民族的・伝統的屋根材としてもよく調和して田舎における在来家屋や神社仏閣の屋根の葺き替え等海外に於いても用途は多用である。【選択図】図１
0003150821.tif 000002
【実用新案登録請求の範囲】
【請求項１】
下地材に一定の長さに切断された複数の杉皮又は桧皮を葺足３ｃｍ〜１０ｃｍ以内に設定して一定の角度に接着してなることを特徴とする屋根材。
【請求項２】
前記下地材がスレート板、又はベニヤ板、プラスチック等人工的素材であることを特徴とする請求項１記載の屋根葺材。
【考案の詳細な説明】
【技術分野】
【０００１】本考案は屋根葺き材に関するものである。
【背景技術】
【０００２】純日本建築の民族的伝統的な屋根として杉皮及び桧皮葺きが行われていた。又茅葺きの屋根が知られている。【特許文献１】実用新案登録第３１４７６３０号
【考案の開示】
【考案が解決しようとする課題】
【０００３】従来、杉皮・桧皮葺きを施工するには材質が自然材であるため収集に限度があり又人件費とコスト高のため需要者の負担増となっており、また工期もながきを要した。尚、特許文献１は第茅葺き屋根であるが寿命が短いと云う欠点があった。
【議題を解決するための手段】
【０００４】本考案は上記課題を解決するために下地に一定の長さに切断された複数の杉・桧皮材の葺足を３ｃｍ〜１０ｃｍ以内に設定して一定の角度に接着にてなせることを特徴とすることに依って屋根を葺くことができる。
【０００５】本考案に依り一括生産することで工期の短縮と資源の削減がはかられると共に経済的にも社会に貢献することが出来るのである。なほ外観的には自然の色彩を保つ上低価格で提供できるので、一石二鳥の経済効果がある。また、純日本建築の民族的・伝統的屋根材としてもよく調和して田舎における在来家屋や神社仏閣の屋根の葺き替え等海外に於いても用途は多用である。
【考案を実施するための最良の形態】
【０００６】本考案を図１に基づいて説明する。図１に於いては下地材である。下地材として例えばスレート板、ベニヤ板、プラスチック材等を使用することも出来る。２は接着剤である。３は一定の長さに切断された複数の杉、桧皮材で一定の角度（例えば７０°〜３０°）に設定される。尚葺足は３ｃｍ〜１０ｃｍ以内として例えば金属又はプラスチック等人工的素材でつくることもできる。尚耐久性を維持するため防腐処置をする事も出来る。【０００７】図２（イ）は切妻造り図である。図２（ロ）は寄棟造り図である。６は矩形のブロックの例であり、７は屋根の形状に応じた形例えば（ロ）では三角形のブロックの例である。
【図面の簡単な説明】
【０００８】
【図１】本考案の屋根葺き材の実施例を示す図である。（イ）は断面図である。（ロ）は斜視図である。
【図２】本考案の屋根葺材を複数屋根に葺いてなる姿図である。（イ）は切妻造図（ロ）は寄棟造図の例である。
【符号の説明】
【０００９】１    下地材２    接着剤３    杉桧皮材層４    屋根野地５    小屋束６    屋根葺材ブロック７    三角形ブロック８    棟葺材９    葺き足
【図１】
0003150821.tif 000003
【図２】
0003150821.tif 000004
(57)【要約】      （修正有）【課題】雨水を溜める貯水槽に関し、ゴミ等の異物混入を防止する貯水槽を提供する。【解決手段】上部に取水・点検用の蓋６を備えた貯水槽本体１内に直立固定した仕切り壁２を設けて濾過室Ａと貯水室Ｂの二室に区画し、該濾過室Ａの下方に雨水流入口４と沈殿物排出口５を設け、さらに、該濾過室Ａ内に濾過装置３を備え、該仕切り壁２の上方に開口８を設けて該濾過室Ａと該貯水室Ｂとを連通して成し、外部の雨水集水構造と接続された雨水流入口４から流入した雨水が該濾過装置３を介して濾過され、ゴミ等の異物は該濾過室Ａ底床に沈殿し、浄化された水は該仕切り壁２の上部に設けた開口８から流れ出て該貯水室Ｂに溜まる構造とした。【選択図】図１
0003150822.tif 000002
【実用新案登録請求の範囲】
【請求項１】
上部に取水・点検用の蓋を備えた貯水槽本体内に直立固定した仕切り壁を設けて濾過室と貯水室の二室に区画し、該濾過室の下方に雨水流入口と沈殿物排出口を設け、さらに、該濾過室内に濾過装置を備え、該仕切り壁の上方に開口を設けて該濾過室と該貯水室とを連通して成し、外部の雨水集水構造と接続された雨水流入口から流入した雨水が該濾過装置を介して濾過され、ゴミ等の異物は該濾過室底床に沈殿し、浄化された水は該仕切り壁の上部に設けた開口から流れ出て該貯水室に溜まる構造としたことを特徴とする雨水貯水槽。
【考案の詳細な説明】
【技術分野】
【０００１】  本考案は、雨水を溜める貯水槽に関するものである。
【背景技術】
【０００２】  従来より、雨水利用に於いては、市販品も多く、貯水槽に於いても様々な提案が数多くされている。
【考案の概要】
【考案が解決しようとする課題】
【０００３】  しかしながら、従来より、貯水槽内へのゴミ等の異物混入が水質を低下させるという問題点を有していた。【０００４】  本考案は、上記従来有する問題点に鑑み、雨水を溜める貯水槽に関し、貯水槽内へのゴミ等の異物混入を防止しようとするものである。
【課題を解決するための手段】
【０００５】  本考案に於いては、上部に取水・点検用の蓋６を備えた貯水槽本体１内に直立固定した仕切り壁２を設けて濾過室Ａと貯水室Ｂの二室に区画し、該濾過室Ａの下方に雨水流入口４と沈殿物排出口５を設け、さらに、該濾過室Ａ内に濾過装置３を備え、該仕切り壁２の上方に開口８を設けて該濾過室Ａと該貯水室Ｂとを連通して成し、外部の雨水集水構造と接続された雨水流入口４から流入した雨水が該濾過装置３を介して濾過され、ゴミ等の異物は該濾過室Ａ底床に沈殿し、浄化された水は該仕切り壁２の上部に設けた開口８から流れ出て該貯水室Ｂに溜まる構造とした。
【考案の効果】
【０００６】  本考案によれば、濾過室に於いてゴミ等の異物を除去できることから、貯水槽内の全部を汚す事が無く、浄化されたきれいな水を貯水室に貯溜することができる。
【図面の簡単な説明】
【０００７】
【図１】  本考案による雨水貯水槽の構造を示す断面図である。
【考案を実施するための形態】
【０００８】  以下、本考案の実施の形態について、図面を参照して説明する。
図１に示すように、本考案に於いては、上部に取水・点検用の蓋６を備えた貯水槽本体１内に直立固定した仕切り壁２を設けて濾過室Ａと貯水室Ｂの二室に区画し、該濾過室Ａの下方に雨水流入口４と沈殿物排出口５を設け、さらに、該濾過室Ａ内に濾過装置３を備え、該仕切り壁２の上方に開口８を設けて該濾過室Ａと該貯水室Ｂとを連通して成し、外部の雨水集水構造と接続された雨水流入口４から流入した雨水が該濾過装置３を介して濾過され、ゴミ等の異物は該濾過室Ａ底床に沈殿し、浄化された水は該仕切り壁２の上部に設けた開口８から流れ出て該貯水室Ｂに溜まる構造とした。
【符号の説明】
【０００９】    Ａ    沈殿室
Ｂ    貯水室
１    貯水槽本体
２    仕切り壁
３    濾過装置
４    雨水流入口
５    沈殿物排出口
６    取水・点検用の蓋
７    オーバーフロー流出口
８    開口
【図１】
0003150822.tif 000003
(57)【要約】      （修正有）【課題】容易に内部の水量を判断でき、且つ外観的にも優れた仏具用の水位測定花瓶を提供する。【解決手段】花瓶本体は内部に生花挿入筒を設け、外周に把手部及び家紋取着部を形成し、該花瓶本体の外周の下方に連水筒を設けると共に、該連水筒の先端に水位筒体を縦方向に縦設し、該水位筒体には、内部の下部に浮子を設けた水位昇降杆を内挿した事を特徴としたものである。【選択図】図３
0003150823.tif 000002
【実用新案登録請求の範囲】
【請求項１】
花瓶本体（１）には、生花挿入筒（２）を装設し、該花瓶本体（１）には、外周に各種形状の把手部（３）（３）を設けると共に、正面に家紋取着部（５）を形成し、且つ該花瓶本体（１）の外周下方の所定個所に横方向の連水筒（６）を形成し、該連水筒（６）には、先端に水位筒体（７）を縦設し、該水位筒体（７）には、内部に浮子（９）を設けた水位昇降杆（８）を内挿した事を特徴とする仏具用の水位測定花瓶。
【考案の詳細な説明】
【技術分野】
【０００１】  本考案は、仏具等に使用する生花を挿入する花瓶であって、内部の水量の減少が外部から容易に判断できるようにした仏具用の水位測定花瓶に関するものである。
【背景技術】
【０００２】  従来、この種の花瓶に生花を挿している場合においては、内部の水量を調べる場合は、花瓶を移動して生花を取り出し、内部の水量を確認する事が一般に実施されている現状である。
【考案の概要】
【考案が解決しようとする課題】
【０００３】  本考案は、従来の技術の有する上記の問題に鑑みてなされたものであり、その主たる目的とする所は、花瓶本体に生花と清水を挿入することによって、水位筒体の内部に挿入されている浮子を設けた水位昇降杆が生花の後方で上昇するため表面からは邪魔にならず、見苦しいと云う点は解決できると共に、花瓶本体の水量が自然に蒸発して降下した状態になれば、水位昇降杆も下降するために容易に内部の水量を判断でき、且つ外観的にも優れた仏具用の水位測定花瓶を提供するものである。
【課題を解決するための手段】
【０００４】  上記目的を達成するために、本考案における仏具用の水位測定花瓶によれば、花瓶本体は各種の形状よりなる内部に生花挿入筒を設ける。その外周には、各種形状の把手部を装設すると共に、表面には各家庭の家紋取着部を装設する。
更に、該花瓶本体の外周下方の所定個所に横方向の連水筒を形成すると共に、該連水筒の先端に縦方向の水位筒体を連接する。
また、該水位筒体には、花瓶本体の内部の水量の増減により昇降する下部に浮子を設けた水位昇降杆を内部に挿入してある。
【考案の効果】
【０００５】  本考案は、以上説明したように構成されているので、従来の花瓶の如く、花瓶内部の水量の増減を判断するのに、生花を取り出して内部の水量を確認すると云う面倒な作業をする事なく、水位昇降杆の上下によって簡単容易に内部の水量の状態を判断できる大変に便利な効果がある。また、花瓶本体の下方外周の１ヶ所に連通する横方向の連水筒に縦方向の水位筒体を一体に設ける事により、該花瓶本体の内部水量を簡単に知る事が出来る便利な効果もある。
そして、該水位筒体の内部の下端に浮子を設けた水位昇降杆の上下で、水量の増減の判断が確実に出来るので、水量の補給が容易となる効果がある。
更に、該花瓶本体の正面に家紋取着部を形成したので、印刷された家紋等の貼付又は各種の家紋を形成したものを取り付けられると云う便利な効果もある。
【図面の簡単な説明】
【０００６】
【図１】  本考案の花瓶本体の正面図である。
【図２】  同じく本考案の花瓶の側面図である。
【図３】  本考案の花瓶用の水量が降下している状態の要部を拡大した縦断側面図である。
【図４】  同じく本考案の花瓶内の水量が上昇に有る状態の要部の拡大した縦断側面図である。
【考案を実施するための形態】
【０００７】  上記のように構成された花瓶本体には、内部に清水を注入すると共に、生花を挿入すると水位筒体内の水量により、浮子と共に水位昇降杆も図４の如く上昇する。生花の吸入と水の蒸発等により図３の如く、水位昇降杆が降下して内部の水量が不足している状態を示すものである。
そして、家紋取着部に家紋を取り付けた場合では、図１の如く、家紋側を正面とする。
また、花瓶本体の外周に立設した水位筒体の取り付け位置を家紋の裏面側に設置すれば生花の裏側になり、正面から見る事が出来ないので、景観に対して何等不快を感ずる事がないものである。
【実施例】
【０００８】  実施例について図面を参照して説明すると、図１に示すものは、斜め上方から見た正面を示し、花瓶本体（１）には、円形、角形等よりなる形状に形成され、内部に生花挿入筒（２）を形成する。且つ、該花瓶本体（１）には、外周の所定位置に各種形状に形成された把手部（３）（３）を取り付けてある。また、該花瓶本体（１）の正面となる位置に家紋の印刷物又は家紋を形成した物品を一体又は別体として装設するものである。
図２に示される実施例は、図１の側面を示すもので、花瓶本体（１）の正面側の家紋取着部（５）の裏面側には、下方位置に該生花挿入筒（２）と清水が流通する水平方向の連水筒（６）を形成する。該連水筒（６）には、先端に水位筒体（７）を縦方向に接続する。そして、該水位筒体（７）には、内部の下端に各種形状の浮子（９）を取り付けた水位昇降杆（８）を挿入してある。
図３に示す実施例は、該生花挿入筒（２）と水位筒体（７）との水量（１０）が降下し、流水している水位筒体（７）も同様に水位が降下し、内部の水位昇降杆（８）も下降して水量（１０）が不足した状態を示したものである。
また、図４に示すものは、該生花挿入筒（２）の内部に水量（１０）が充満し、該連水筒（６）を得て水位筒体（７）にも水量（１０）が侵入して、浮子（９）を取り付けた水位昇降杆（８）を上昇して花瓶本体（１）の内部の水量（１０）が水位筒体（７）内にも充満している状態を示したものである。
【産業上の利用可能性】
【０００９】  花瓶本体の生花挿入筒に生花と清水を入れた場合において、生花挿入筒の内部の水量が外部に設けてある水位昇降杆の上昇又は降下位置で容易に判断できる便利な効果が生ずるため、利用価値は著しく向上するものである。
【符号の説明】
【００１０】１            花瓶本体
２            生花挿入筒
３            把手部
５            家紋取着部
６            連水筒
７            水位筒体
８            水位昇降杆
９            浮子
１０          水量
【図１】
0003150823.tif 000003
【図２】
0003150823.tif 000004
【図３】
0003150823.tif 000005
【図４】
0003150823.tif 000006
(57)【要約】      （修正有）【課題】網戸の埃を飛散させることなく、少量の水で網戸が能率よく容易に清掃できる網戸清掃用具を提供する。【解決手段】網戸用清掃用具本体１に、ブラシ２を中央部分に取り付け、その両側部分にスポンジ様材３を取り付けることにより、機能が一体化され、清掃が容易となる。【選択図】図１
0003150827.tif 000002
【実用新案登録請求の範囲】
【請求項１】
網戸の埃を飛散させず、少量の水で埃を拭き取るためのスポンジ様材と網戸に付着した汚れを取り除くためのブラシを一体化することにより、効率よく容易に清掃作業を行うための清掃用具である。
【考案の詳細な説明】
【技術分野】
【０００１】本考案は、網戸の清掃に適した清掃用具に関するものである。
【背景技術】
【０００２】網戸を清掃する際、通常、水を湿らせた雑巾での清掃や、ブラシでの清掃は多量の水を使用し洗い流していた。
【考案の概要】
【考案が解決しようとする課題】
【０００３】本考案は、網戸を清掃する際、機能を一体化することにより、スポンジ様材部分に含水機能が保持された網戸用清掃用具本体を使用することによって多量の水を使用せずに網戸の清掃が可能となる。
【課題を解決するための手段】
【０００４】本考案は、網戸用清掃用具本体の土台の中央部分にブラシを植毛し、両側にスポンジ様材を取り付けたものである。
【考案の効果】
【０００５】上記の様に、機能を一体化した網戸用清掃用具のスポンジ様材部分に、含水機能を保持させることで、網戸の埃が飛散することなく埃を取り除き、さらに中央部分に取り付けられたブラシによって、網戸の汚れを少量の水で容易に清掃することができる。
【図面の簡単な説明】
【０００６】
【図１】  本考案の斜視図である。
【図２】  本考案の断面図である。
【図３】  本考案の上面図である。
【図４】  本考案の側面図である。
【図５】  本考案の底面図である。
【考案を実施するための形態】
【０００７】上記課題を解決するため、機能を一体化した網戸用清掃用具を、上部から下部へ軽く網戸に押し付ける作業を繰り返すことによって、含水機能を保持させた下部のスポンジ様材が、網戸の埃を飛散することなく吸収し、中央部分のブラシが網の中の汚れを取り除き、さらに上部のスポンジ様材が網戸の汚れを吸収することにより、容易に清掃することができる。
【符号の説明】
【０００８】１．本体
２．ブラシ
３．スポンジ
【図１】
0003150827.tif 000003
【図２】
0003150827.tif 000004
【図３】
0003150827.tif 000005
【図４】
0003150827.tif 000006
【図５】
0003150827.tif 000007
(57)【要約】      （修正有）【課題】洗顔時等に使用する手首水垂れ防止具を提供する。【解決手段】手首の外周より一回り大きく、且つ馬蹄形状に湾曲加工した形状復元を有する帯状平板の内側に、肉厚のスポンジシートを貼り付けた手首水垂れ防止具を、手首へ小指側より装着することにより、手からの水の流れを防止することができる。【選択図】図４
0003150802.tif 000002
【実用新案登録請求の範囲】
【請求項１】
手首の外周より一回り大きく、且つ馬蹄形状に湾曲加工した形状復元を有する帯状平板の内側に、肉厚のスポンジシートを貼り付けてあり、該帯状平板の両端部近傍は外側に湾曲し、中央部近傍は外側に帯状に沿って突起を有することを特徴とする手首水垂れ防止具。
【考案の詳細な説明】
【技術分野】
【０００１】  本考案は、洗顔時等に使用する手首水垂れ防止具に関するものである。
【背景技術】
【０００２】  洗顔するときなどは手首から水垂れし、衣服の袖口又は床を濡らし不快なものであり、例えば特許文献１に示す技術が開示されている。
【先行技術文献】
【特許文献】
【０００３】
【特許文献１】  特開２００６−２８３２６２  公報
【考案の概要】
【考案が解決しようとする課題】
【０００４】  上記、特許文献１の段落００１３において、漏斗状バネ性ループ１の一箇所を切断して開放部３を設け、その切断した開放部を交差させる当該の技術では、着脱に煩わしい問題点がある。
【課題を解決するための手段】
【０００５】  本考案はかかる従来技術の問題点に鑑みなされたもので、手首の外周より一回り大きく、且つ馬蹄形状に湾曲加工した形状復元を有する帯状平板の内側に、肉厚のスポンジシートを貼り付けてあり、該帯状平板の両端部近傍は外側に湾曲し、中央部近傍は外側に帯状に沿って突起を有しＴ字形の断面を成している。
【考案の効果】
【０００６】  馬蹄形状に湾曲加工した形状復元を有する帯状平板の両端部近傍が外側に湾曲開放し、中央部近傍のみ外側に帯状に沿って突起を有しＴ字形の断面を成しているため、手首への着脱が容易にでき水垂れ防止効果も大である。
【図面の簡単な説明】
【０００７】
【図１】本考案の斜視図である。
【図２】図１のＡ−Ａ断面である。
【図３】図１のＢ−Ｂ断面である。
【図４】実施形態を示す斜視図である。
【考案を実施するための形態】
【０００８】  手首の外周より一回り大きく、且つ馬蹄形状に湾曲加工した形状復元を有する帯状平板の内側に、肉厚のスポンジシートを貼り付けてあり、該帯状平板の両端部近傍は外側に湾曲し，中央部近傍は外側に帯状に沿って突起を有しＴ字形の断面を成している。
【実施例】
【０００９】  以下、添付図面に従って実施例を説明する。図１は本考案の全体像である。また、図２は帯状平板のリング１の内側に、肉厚のスポンジシート２を貼り付けた断面である。図３は帯状平板の中央部近傍の外側に帯状に沿って突起３を有する断面である。図４は実施形態を示す斜視図であり、手首へ小指側より差込み容易に装着できる。
内部に貼り付けられた肉厚のスポンジシートは、外側の帯状平板による復元作用によって手首に密着し、中央部近傍の外側に有する突起により手先からの水の流れを防止することができる。
【符号の説明】
【００１０】１  リング
２  スポンジシート
３  突起
【図１】
0003150802.tif 000003
【図２】
0003150802.tif 000004
【図３】
0003150802.tif 000005
【図４】
0003150802.tif 000006
(57)【要約】      （修正有）【課題】燃料電池の水素ガス貯蔵の為にタンク容量が大きくなる事、又、液体水素にする事の経費等を削減する為に水素ガス、塩素ガスを循環して繰り返し使用する燃料電池を提供する。【解決手段】Ｈ２Ｃｌ２燃料電池にＨ２、Ｃｌ２を供給すると電力とＨＣｌを生成します。そのＨＣｌを次の電池に送ると、水中でＨＣｌ→  Ｈ３Ｏ＋＋Ｃｌ−にイオン化します。この電池の陰極に亜鉛を用いると、Ｚｎ→Ｚｎ２＋＋２ｅ−、Ｚｎ２＋＋２Ｃｌ−→ＺｎＣｌ２水溶液を得ます。又、陽極にて水素ガスを発生します。２Ｈ３Ｏ＋＋２ｅ−→  Ｈ２＋Ｈ２Ｏ、Ｚｎｃｌ２水溶液は、次の電気分解槽で陽極に亜鉛が附着し陰極から塩素ガスを発生します。この水素ガス、塩素ガスを最初のＨ２−Ｃｌ２燃料電池に供給し循環使用します。又、ＨＣｌを原料とした電池の陰極と電気分解槽の陽極は適時、予備品と交換し、取出した電極は処理加工して再利用します。【選択図】図１
0003150803.tif 000002
【実用新案登録請求の範囲】
【請求項１】
Ｈ２−Ｃｌ２電池とその電池から生成される、ＨＣｌを原料とした電池、及びＺｎＣｌ２水溶液の電気分解槽を１セットとして設置することにより、燃料としてのＨ２とＣｌ２を循環使用する装置
【考案の詳細な説明】
【考案の開示】
【考案が解決しようとする課題】
【０００１】燃料としての水素ガス、塩素ガスを循環使用する事によって消費量を最小限にする
【課題を解決するための手段】
【０００２】Ｈ２−Ｃｌ２電池とその電池から生成するＨＣｌを原料とする電池を設置します。このＨＣｌ電池の陰極に亜鉛を用いると、ＨＣｌをＺｎＣｌ２に変換しながら陽極側から水素ガスを発生します。次にＺｎＣｌ２を電気分解して亜鉛と塩素ガスにします。これら水素ガスと塩素ガスを最初のＨ２−Ｃｌ２電池に供給する事によって、水素ガス、塩素ガスを循環使用するものです。
【考案の効果】
【０００３】Ｈ２−Ｃｌ２燃料電池の水素ガスと塩素ガスを循環使用する為に消費量を最少にする事が出来、貯蔵タンクを小さくする。又水素ガスを液体・水素にする必要もなくなります。
【図面の簡単な説明】
【図１】は各機器の設置とフローを表したものです。
【符号の説明】１    Ｈ２−Ｃｌ２燃料電池２    ＨＣｌを原料とした燃料電池３    電気分解槽４    ポンプ
【図１】
0003150803.tif 000003
(57)【要約】【課題】  湯たんぽによる低温火傷を回避し、かつ、暖かさを長時間持続させる。【解決手段】  敷布団の下に湯たんぽを置くことにより、足と湯たんぽが直接触れることがなくなり、低温火傷を起こす危険性が極めて少なくなった。また、湯たんぽの底部とトレーの上部を合致させ、トレー底部を平らな構造にすることによって、敷布団の下に置いても安定性を欠くことがなくなった。さらに、湯たんぽ上部からトレーにかけて、なだらかな傾斜構造にすることによって、湯たんぽとトレー及び敷布団の隙間をなくし、熱を効率よく布団に伝えることができ、暖かさを持続させることが可能となった。また、断熱性に優れたトレーによって、無駄な熱の放出を抑えることができた。【選択図】図１
0003150808.tif 000002
【実用新案登録請求の範囲】
【請求項１】
湯たんぽとトレーからなり、湯たんぽ底部とトレー上部のくぼみが合致する湯たんぽセット。
【請求項２】
湯たんぽ上部のなだらかな傾斜構造が、トレーとなだらかにつながり、トレーの側面の傾斜部分はトレー底面と前後左右すべての方向において鋭角的につながった構造を有する請求項１記載の湯たんぽセット。
【考案の詳細な説明】
【技術分野】
【０００１】  湯たんぽに関する考案である。
【背景技術】
【０００２】  従来の湯たんぽは、敷布団と掛け布団の間に置いて使用するように作られていた。
【考案の概要】
【考案が解決しようとする課題】
【０００３】  従来の湯たんぽは、睡眠時に長時間、肌の同じ部分が触れていると、低温火傷を起こす危険性があった。
【課題を解決するための手段】
【０００４】  本考案は、湯たんぽとトレーからなり、湯たんぽ底部とトレー上部のくぼみが合致する湯たんぽセットである。
【考案の効果】
【０００５】  湯たんぽを敷布団の下に置くため、直接肌に触れることがなくなり、低温火傷を起こす危険性が極めて少なくなった。また、湯たんぽの底部とトレー上部のくぼみが合致し、トレー底部が平らな構造になっているため、睡眠中に足を動かしても湯たんぽは、動くことなく安定し、睡眠を妨げない。さらに、湯たんぽ上部のなだらかな傾斜構造は、トレーとなだらかにつながっているため、湯たんぽとトレー及び敷布団でできる隙間をなくすことができた。その結果、熱を効率よく布団に伝え、長時間暖かさを持続させることが可能となった。加えて、湯たんぽ上部からトレーにかけてのなだらかな傾斜構造により、敷布団はなだらかな盛り上がりとなり、眠りにつく際、足への違和感をなくすことができた。また、敷布団の下に湯たんぽを置く際、断熱性に優れたトレーを湯たんぽの下に敷くことにより、畳等への熱の放出を抑えることができた。
【図面の簡単な説明】
【０００６】
【図１】  湯たんぽ及びトレーの斜視図である。
【図２】  湯たんぽ及びトレーの断面図である。
【考案を実施するための形態】
【０００７】  床につくしばらく前に湯たんぽを掛け布団と敷布団の間に入れて布団を暖める。寝る直前に湯たんぽをトレーに載せ、敷布団の下に移動させ、足が直接湯たんぽに触れないようにする。
【符号の説明】
【０００８】  １  湯たんぽ
２  給湯口
３  トレー
【図１】
0003150808.tif 000003
【図２】
0003150808.tif 000004
(57)【要約】      （修正有）【課題】木材とロープだけで作る、丸太巻き上げ機を提供する。【解決手段】丸太６を回転できるように設置し、その丸太６にテコ棒を差し込むための穴４を多数開けてその丸太６に、ロープ１、ロープ２、ロープ３をそれぞれ数回巻いてロープ１、２、３の端を石１０を載せたソリ９に結ぶ、そしてもう一方のロープ１，２，３の端を人が支える。そしてテコ棒で丸太６を回転させ上がってくるロープ１、２、３をそれぞれ人が手繰り寄せれば石１０を載せたソリ９は、斜路１１を上がってくる。【選択図】図１
0003150806.tif 000002
【実用新案登録請求の範囲】
【請求項１】
回転できるように取り付けられた丸太にテコ棒を差し込む穴を開けその丸太に、ロープを数回巻いてロープの両端を出した丸太巻き上げ機。
【考案の詳細な説明】
【技術分野】
【０００１】  本考案は、回転さすことのできる丸太にロープを巻いたものに関すものである。
【背景技術】
【０００２】  建造現場等において、それなりの道具が無くて木材とロープだけの材料を使用して、数ｔの石を上げなくてはいけないときがある。
【考案の開示】
【考案が解決しようとする課題】
【０００３】  丈夫なロープと大きな丸太とテコにする木があればそれらを使用して、丸太巻き上げ機を作り前述の問題を解決しようとするものである。
【課題を解決するための手段】
【０００４】  本考案は、回転はできるがしっかり設置した大きな丸太に、テコ棒を差し込むための穴を多数に開けて、その丸太にロープを３回以上巻いてロープの両端の一方はソリにつなぎもう一方は、人が支えるものである。
【考案の効果】
【０００５】  上述の様に、ロープと木材があれば丸太巻き上げ機はできる。
【考案を実施するための最良の形態】
【０００６】  巻き上げ機は土や石等で斜路を造りその上をソリをひくため、石を載せたソリを丸太巻き上げ機の片方のロープをつなぎ、もう一方のロープの端を人が支え巻き上げ機の丸太に開けた穴にテコ棒を差し込んで、丸太を回転させ上がってくるロープを人が手繰り寄せればロープにつないだ石を載せたソリは引き上げることができる。
【実施例】
【０００７】  以下、添付図面に従って一実施例を説明する。１はソリ９に載せた石１０をひき上げるためのロープ片方の端をソリ９に結び丸太６を数回巻いて人が支えるためにもう片方のロープ１の端は出している、２も同様なロープ、３も同様なロープ、９はソリ、１０は石。【０００８】  本考案の一実施例は上述の如き構成からなるものであるから、人がロープ１、ロープ２、ロープ３の出している端をそれぞれ人が支え穴４にテコ棒を差し込み、丸太６を回転させて上がってくるロープ１，ロープ２，ロープ３をそれぞれ手繰り寄せれば石１０を載せたソリ９は斜路１１を引き上げることができる。古代エジプトでもピラミッドの建造には、このようにして大きな石をあげていたかもしれない。
【図面の簡単な説明】
【０００９】
【図１】本考案の丸太巻き上げ機の実施例を示す斜図である。
【符号の説明】
【００１０】Ｉ  ロープ
２  ロープ
３  ロープ
４  丸太６に開けたテコ棒を差し込むための穴
５  建造物に埋め込んで、丸太６を支えるための支え木
７  支え木
８  ロープを乗せて屈折させるための木材
９  ソリ
１０  石
１１  斜路
１２  石に掛けたロープ
１３  支え木
１４  支え木
１５  建造中の建造物
【図１】
0003150806.tif 000003
(57)【要約】      （修正有）【課題】面白味のあるあぶらとり紙を提供する。【解決手段】本あぶらとり紙１０１は、表面に人物像１０２が描かれており、裏面は無地である。これにより、面白味のあるあぶらとり紙を得ることができる。【選択図】図１
0003150875.tif 000002
【実用新案登録請求の範囲】
【請求項１】
表面に人物像が描かれており、裏面は無地であるあぶらとり紙。
【考案の詳細な説明】
【技術分野】
【０００１】
本考案は、あぶらとり紙に関するものである。
【背景技術】
【０００２】
従来のあぶらとり紙は、無地であった。
【考案の開示】
【考案が解決しようとする課題】
【０００３】
従来のあぶらとり紙は無地であるため、面白味に欠けるものであった。
【課題を解決するための手段】
【０００４】
本考案のあぶらとり紙は、表面に人物像が描かれており、裏面は無地である。
【考案の効果】
【０００５】
本考案によって、面白味のあるあぶらとり紙を得ることができる。
【考案を実施するための最良の形態】
【０００６】
本実施の形態のあぶらとり紙について、図１〜図６を用いて説明する。図１は、あぶらとり紙１０１を正面（表面）から見た図であり、図２は、あぶらとり紙１０１を背面（裏面）から見た図であり、図３は、あぶらとり紙１０１を右側面から見た図であり、図４は、あぶらとり紙１０１を左側面から見た図であり、図５は、あぶらとり紙１０１を平面（上面）から見た図であり、図６は、あぶらとり紙１０１を底面（下面）から見た図である。図１、図２に示すように、本実施の形態のあぶらとり紙１０１は、表面に人物像１０２が描かれており、裏面は無地である。
【図面の簡単な説明】
【０００７】
【図１】本考案のあぶらとり紙の正面を説明するための図。
【図２】本考案のあぶらとり紙の背面を説明するための図。
【図３】本考案のあぶらとり紙の右側面を説明するための図。
【図４】本考案のあぶらとり紙の左側面を説明するための図。
【図５】本考案のあぶらとり紙の平面を説明するための図。
【図６】本考案のあぶらとり紙の底面を説明するための図。
【符号の説明】
【０００８】
１０１    あぶらとり紙
１０２    人物像
【図１】
0003150875.tif 000003
【図２】
0003150875.tif 000004
【図３】
0003150875.tif 000005
【図４】
0003150875.tif 000006
【図５】
0003150875.tif 000007
【図６】
0003150875.tif 000008
(57)【要約】      （修正有）【課題】衛生的で、コーヒーや紅茶などを飲む際の利便性を高め、さらに個人の好みの違いによる無駄を解決し、マドラーの素材を再生・廃棄に有利なものにすることで環境問題にも配慮するシュガーとマドラーセットを提供する。【解決手段】筒状にした包装紙１の中にシュガー２と用意しておいたマドラー３を衛生的に格納する。開封位置５と６の選択により、マドラーのみの開封と、シュガーとマドラー両方の開封を可能にする。【選択図】図１
0003150876.tif 000002
【実用新案登録請求の範囲】
【請求項１】
スティック型の袋にシュガー及びマドラーを密閉した状態で一つの袋に収納したことを特徴とするシュガーとマドラーのセット
【考案の詳細な説明】
【技術分野】
【０００１】
本考案は、砂糖とかき混ぜ棒を一つの袋に入れたシュガーとマドラーのセットに関する。
【背景技術】
【０００２】
従来、コヒーや紅茶などにシュガーやミルクを入れて混ぜるための棒（マドラー）は、スプーンかそれに代わる混ぜるための棒状のもので、密閉されない状態で添えられる、若しくは密閉されていてもシュガーとは別に用意されていた。
【考案の概要】
【考案が解決しようとする課題】
【０００３】
従来のマドラーが密閉されない状態では、使用環境によっては、衛生面での問題を有していた。
【０００４】
単独のマドラーの場合、それそのものを包装する必要があり、単独では強度のない紙・パルプなどの環境問題に有利な素材で作ることは適当では無かった。
【０００５】
本考案の目的は、シュガーとマドラーを衛生的に収納し、両方をセットにすることで、コーヒーや紅茶などを飲む際の利便性を高め、さらに個人の好みの違いによる無駄を解決し環境に配慮するものである。
【課題を解決するための手段】
【０００６】
スティック型袋に開封位置が選択できるようにシュガーとマドラーを配置し、収納する。
【考案の効果】
【０００７】
本考案は、マドラーを密閉した状態でシュガー袋に収納しているため、衛生的である。
【０００８】
マドラーを別に用意する必要が無くなり便利である。さらに、容易に携帯することができるようになる。
【０００９】
スティックシュガーと包装することで強度が確保できるため、使い捨てられることの多いマドラーの素材を、紙・パルプなどの環境問題に有利な素材で計画できる。
【図面の簡単な説明】
【００１０】
【図１】図１は本考案の一実施例の透視正面図である。
【考案を実施するための形態】
【００１１】
シュガーとマドラーをスティック型袋に衛生的に収納し、かつ、開封位置の選択により、マドラーのみの開封と、シュガーとマドラー両方の開封を可能にする。
【実施例１】
【００１２】
筒状にした包装紙１の中にシュガー２とマドラー３を図１のように配置し、４の範囲を圧着して格納する。開封位置５と６の選択により、マドラーのみの開封と、シュガーとマドラー両方の開封を可能にする。
【符号の説明】
【００１３】
１    スティック型シュガー袋
２    シュガー
３    マドラー
４    圧着部
５    マドラー開封位置線
６    シュガーとマドラー開封位置線
【図１】
0003150876.tif 000003
(57)【要約】 【課題】 靴にカバーを取り付けることで、雨水の染み込みを防ぎ、蒸れる場合は簡単にカバーを取り外せることができる構造を、提供することにある。【解決手段】靴の下部周囲に雨返しを施したループ状面ファスナーを取り付け防水カバーにも、かぎ状面ファスナーを取り付けることで、上部から雨水の染み込みを防ぎ、雨返しを施すことで、下部からの雨水の染み込みを防ぎ蒸れる場合は、簡単に取り外せることである。【選択図】  図１
0003150854.tif 000002
【実用新案登録請求の範囲】
【請求項１】
靴の下部周囲に雨返しを施したループ状面ファスナーを取り付け更に，該ループ状面ファスナーに係合するかぎ状面ファスナーを取付けたカバーを設けたことを特徴とする靴。
【考案の詳細な説明】
【技術分野】
【０００１】
本考案は、雨の日に靴に雨が中まで染み込まないようにするための工夫である
【背景技術】
【０００２】
雨の日に靴が濡れることがある
【先行技術文献】
【特許文献】
【０００３】
【特許文献１】特開２００１−２５８６０３号公報
【特許文献２】特開２００８−１４９０４６号公報
【考案の概要】
【考案が解決しようとする課題】
【０００４】
靴に、雨水が浸み込まないように雨返しを施したカバーを取り付け、簡単に取り外せることである
【課題を解決するための手段】
【０００５】
靴の下部周囲に雨返しを施したループ状面ファスナーを取り付け更に，該ループ状面ファスナーに係合するかぎ状面ファスナーを取付けたカバーを設けたことを特徴とする靴。
本考案は、靴の下部周囲に（図4）のように上部に雨の染み込みをなくすように雨返しを施した面ファスナーを取り付け、面ファスナーを取り付けたカバーを取り付けることで、解決する
【考案の効果】
【０００６】
雨返しを施した面ファスナーを取り付けたことにより,雨水の染み込みを防ぎ蒸れる場合は、簡単に取り外せることである
【図面の簡単な説明】
【０００７】
【図１】靴（１）の下部周囲に雨返しを施したループ状面ファスナー（２）を取り付けた状態である
【図２】歩行時使用のつま先用のカバー（３）に、かぎ状面ファスナー（４）を取り付けた状態である
【図３】雨具使用時のカバー（５）に、かぎ状面ファスナー（６）ループ状面ファスナー（７）、かぎ状面ファスナー（８）を、取り付けた状態である
【図４】靴の下部周囲に取り付けた面ファスナー（１）のＡ−Ａ線断面図
【考案を実施するための形態】
【０００８】
雨の歩行時は、靴（１）雨返しを施したループ状面ファスナー（２）に、カバー（３）のかぎ状面ファスナー（４）を、取り付けて使用する
【０００９】
雨具使用時は、靴（１）の雨返しを施した面ファスナー（２）に、カバー（５）の、かぎ状面ファスナー（６）を取り付け、ループ状面ファスナー（７）に、かぎ状面ファスナー(８)を、貼り合わせて、使用する
【００１０】
蒸れる場合は、簡単に、取り外すことができる
【符号の説明】
【００１１】
１  靴本体
２  靴に取り付けた雨返しを施したループ状面ファスナー
３  歩行時つま先用カバー
４  かぎ状面ファスナー
５  雨具使用時用カバー  
６  かぎ状面ファスナー
７  ループ状面ファスナー
８  かぎ状面ファスナー
【図１】
0003150854.tif 000003
【図２】
0003150854.tif 000004
【図３】
0003150854.tif 000005
【図４】
0003150854.tif 000006